(57)【要約】  本発明の映像表示装置（１０１）は、映像出力機器から出力された映像信号が入力されると共に、該映像出力機器による前記映像表示装置（１０１）を制御するためのコマンドの送受信に用いるＤＤＣ／ＣＩ制御線を備えた複数の映像入力制御端子（１０５，１０６，１０７）と、Ｉ２Ｃバスのスレーブ機能を実現する第１のＩ２Ｃバススレーブインタフェース（１０２ａ）及び第２のＩ２Ｃバススレーブインタフェース（１０２ｂ）とを有し、前記複数の映像入力制御端子（１０５，１０６，１０７）は、第１のスイッチ回路（１０３）及び第２のスイッチ回路（１０４）を介して、前記第１のＩ２Ｃバススレーブインタフェース（１０２ａ）及び前記第２のＩ２Ｃバススレーブインタフェース（１０２ｂ）と接続されている。
2010109598.tif 000002
【特許請求の範囲】
【請求項１】
映像出力機器から出力された映像信号が入力されると共に、該映像出力機器による映像表示装置を制御するためのコマンドの送受信に用いるＤＤＣ／ＣＩ制御線を備えた複数の映像入力制御端子と、
Ｉ２Ｃバスのスレーブ機能を実現する第１のＩ２Ｃバススレーブインタフェース及び第２のＩ２Ｃバススレーブインタフェースと、
を有し、
前記第１のＩ２Ｃバススレーブインタフェース及び第２のＩ２Ｃバススレーブインタフェースが、前記複数の映像入力制御端子のいずれか１つと接続される映像表示装置。
【請求項２】
前記第１のＩ２Ｃバススレーブインタフェースを複数の前記映像入力制御端子のいずれか１つと接続する第１のスイッチ回路と、
前記第２のＩ２Ｃバススレーブインタフェースを複数の前記映像入力制御端子のいずれか１つと接続する第２のスイッチ回路と、
前記第１のスイッチ回路及び前記第２のスイッチ回路の動作を制御する制御部と、
をさらに有する請求項１記載の映像表示装置。
【請求項３】
前記制御部は、
前記映像入力制御端子を介して前記第１のＩ２Ｃバススレーブインタフェースと接続される映像出力機器では、前記映像表示装置が備える全ての設定項目の制御を可能にし、
前記映像入力制御端子を介して前記第２のＩ２Ｃバススレーブインタフェースと接続される映像出力機器では、前記映像表示装置が備える全ての設定項目のうち、制御可能な設定項目を限定する請求項１または２記載の映像表示装置。
【請求項４】
前記第２のＩ２Ｃバススレーブインタフェースと接続される映像出力機器で制御可能な設定項目は、映像調整である請求項２記載の映像表示装置。
【請求項５】
前記ＤＤＣ／ＣＩ制御線を持たない、映像信号が入力される複数の映像入力端子を備え、
前記制御部は、
前記映像入力端子に接続された映像出力機器による映像表示が選択されたとき、前記第２のスイッチ回路により前記第２のＩ２Ｃバススレーブインタフェースを前記映像入力制御端子のいずれとも接続しない請求項１から４のいずれか１項記載の映像表示装置。
【請求項６】
前記制御部は、
前記映像入力制御端子を介して前記第１のＩ２Ｃバススレーブインタフェースと接続された映像出力機器による映像表示が選択されたとき、前記第２のスイッチ回路により前記第２のＩ２Ｃバススレーブインタフェースを前記映像入力制御端子のいずれとも接続しない請求項１から４のいずれか１項記載の映像表示装置。
【発明の詳細な説明】
【技術分野】
【０００１】
本発明はコンピュータ等の映像出力機器によって各種の制御が可能な映像表示装置に関する。
【背景技術】
【０００２】
映像表示装置には、コンピュータ等の映像出力機器によって、コントラスト、ブライトネス、シャープネス、色合い、色の濃さ、水平方向や垂直方向の表示位置、電源のオン／オフ等の様々な設定項目の制御が可能な構成がある。【０００３】
ＤＤＣ／ＣＩ（Display  Data  Channel  Command  Interface）は、デジタル／アナログＲＧＢケーブルに備えるＤＤＣ／ＣＩ制御線を利用して映像出力機器から映像表示装置へコマンドを送信することで、映像出力機器による映像表示装置の制御を可能にする規格である。例えば特開２０００−２５０５２６号公報には、このＤＤＣ／ＣＩを利用したコマンド伝送の信頼性を高めるための手法が記載されている。【０００４】
ＤＤＣ／ＣＩで規定された機能を映像表示装置に搭載する場合、映像表示装置にはＩ２Ｃバス（Inter-Integrated  Circuit  bus）のスレーブ機能を実現するインタフェースを備える必要がある。【０００５】
背景技術の映像表示装置では、映像表示装置に１つのＩ２Ｃバススレーブインタフェースを備え、Ｉ２Ｃバススレーブインタフェースを、映像表示装置が備える複数のＤＤＣ／ＣＩ制御線を備える映像入力端子（以下、映像入力制御端子と称す）のうちのいずれか１つとのみ接続する構成、あるいはＩ２Ｃバススレーブインタフェースと接続する映像入力制御端子をスイッチ回路で切り替える構成が採用されている。【０００６】
しかしながら、Ｉ２Ｃバススレーブインタフェースを特定の映像入力制御端子とのみ接続する構成では、該Ｉ２Ｃバススレーブインタフェースと接続されない映像入力制御端子を利用する映像出力機器から映像表示装置を制御することができない。【０００７】
また、Ｉ２Ｃバススレーブインタフェースと接続する映像入力制御端子をスイッチ回路で切り替える構成では、Ｉ２Ｃバススレーブインタフェースと接続している映像入力制御端子を切り替えると、それまで映像表示装置と接続されていた映像出力機器による制御が不能になってしまう。【０００８】
このような問題を解決するには、例えば映像入力制御端子の数だけＩ２Ｃバススレーブインタフェースを設けておき、各映像入力制御端子に１対１でＩ２Ｃバススレーブインタフェースを接続する構成が考えられる。【０００９】
しかしながら、そのような構成では映像表示装置に多数のＩ２Ｃバススレーブインタフェースを備える必要があるため、映像表示装置のコストが上昇してしまう。また、複数の映像出力機器からの制御を可能にする構成では、各映像出力機器からのコマンドが衝突しないように調整する必要があるため、ＤＤＣ／ＣＩの通信制御が複雑になってしまう。
【発明の開示】
【００１０】
そこで、本発明は、コストの上昇を抑制しつつ複数の映像出力機器からの各種設定項目の制御が可能な映像表示装置を提供することを目的とする。
【００１１】
上記目的を達成するため本発明の映像表示装置は、映像出力機器から出力された映像信号が入力されると共に、該映像出力機器による映像表示装置を制御するためのコマンドの送受信に用いるＤＤＣ／ＣＩ制御線を備えた複数の映像入力制御端子と、
Ｉ２Ｃバスのスレーブ機能を実現する第１のＩ２Ｃバススレーブインタフェース及び第２のＩ２Ｃバススレーブインタフェースと、
を有し、
前記複数の映像入力制御端子が、前記第１のＩ２Ｃバススレーブインタフェース及び第２のＩ２Ｃバススレーブインタフェースと接続された構成である。
【図面の簡単な説明】
【００１２】
【図１】図１は、本発明の映像表示装置の一構成例を示すブロック図である。
【図２】図２は、図１に示した制御部の一構成例を示すブロック図である。
【図３】図３は、Ｉ２Ｃバススレーブインタフェースに対応した制御機能の一例を示す表である。
【図４】図４は、映像表示装置で表示されるＯＳＤメニューの一例を示す模式図である。
【図５】図５は、主映像出力機器が接続される映像入力制御端子と、映像を表示する映像出力機器が接続される映像入力制御端子または映像入力端子との組み合わせ例を示す表である。
【発明を実施するための最良の形態】
【００１３】
次に本発明について図面を参照して説明する。【００１４】
本実施形態の映像表示装置は、２系統のＩ２Ｃバススレーブインタフェースと、各Ｉ２Ｃバススレーブインタフェースの接続先を切り替えるための２つのスイッチ回路とを備える。そして、各スイッチ回路を制御することで、２系統のＩ２Ｃバススレーブインタフェースを、ＤＤＣ／ＣＩ制御線を備える複数の映像入力制御端子のいずれとも接続可能にする。【００１５】
各Ｉ２Ｃバススレーブインタフェースと接続する映像入力制御端子は、映像表示装置が備える周知のＯＳＤ（On-Screen  Display）機能等を利用してユーザーにより設定可能にする。【００１６】
２系統のＩ２Ｃバススレーブインタフェースのうち、一方に接続する映像出力機器では、映像表示装置のコントラストやブライトネス等の映像調整、電源のオン／オフ、映像を表示させる端子の選択等を含む映像表示装置の全ての設定項目の制御を可能にする。以下、このような映像出力機器を主映像出力機器と称す。【００１７】
また、２系統のＩ２Ｃバススレーブインタフェースのうち、他方のＩ２Ｃバススレーブインタフェースには、ユーザーの要望に応じて映像出力機器を接続し、該映像出力機器では、例えばコントラストやブライトネス等の映像調整のみを可能にする。以下、このような映像出力機器を副映像出力機器と称す。このように副映像出力機器で制御可能な設定項目を限定することで、主映像出力機器以外から映像表示装置の重要な設定項目を変更できないようにする。【００１８】
図１は本発明の映像表示装置の一構成例を示すブロック図であり、図２は図１に示した制御部１０２の一構成例を示すブロック図である。なお、図１では、映像表示装置が備える各種構成要素のうち、ＤＤＣ／ＣＩに係わる部位の構成例のみを示している。【００１９】
図１に示すように、映像表示装置１０１は、映像表示装置１０１の各種制御を実行する制御部１０２と、ＤＤＣ／ＣＩ制御線を備える、映像信号が入力される複数の映像入力制御端子（図１では第１の映像入力制御端子１０５〜第３の映像入力制御端子１０７を例示）と、映像信号が入力される複数の映像入力端子（図１では第１の映像入力端子１０８及び第２の映像入力端子１０９を例示）と、映像入力制御端子が備えるＤＤＣ／ＣＩ制御線と制御部１０２との接続を切り替えるための第１のスイッチ回路１０３及び第２のスイッチ回路１０４と、映像を表示する映像出力部１１１と、入力された映像信号に基づいて映像出力部１１１に映像を表示させるための処理を実行する映像処理部１１０とを有する構成である。【００２０】
制御部１０２は、例えばプログラムにしたがって処理を実行するＣＰＵを含む処理装置（コンピュータ）であり、図２に示すように、ＣＰＵ１１と、該ＣＰＵ１１の処理で必要な情報を一時的に記憶する主記憶装置１２と、ＣＰＵ１１に所要の処理を実行させるためのプログラムが記録された記録媒体１３と、映像出力機器から送信される、映像表示装置の各種設定項目等を保存するデータ蓄積装置１４と、主記憶装置１２、記録媒体１３及びデータ蓄積装置１４とのデータ転送を制御するメモリ制御インタフェース部１５と、第１のスイッチ回路１０３及び第２のスイッチ回路１０４を制御するための制御信号を出力するスイッチ制御部１０２ｃと、映像出力機器から送信される各種コマンド等を受信する、ＤＤＣ／ＣＩ通信で用いる第１のＩ２Ｃバススレーブインタフェース１０２ａ及び第２のＩ２Ｃバススレーブインタフェース１０２ｂとを備えている。ＣＰＵ１１と、メモリ制御インタフェース部１５、第１のＩ２Ｃバススレーブインタフェース１０２ａ、第２のＩ２Ｃバススレーブインタフェース１０２ｂ及びスイッチ制御部１０２ｃとはバス１８を介して接続されている。【００２１】
制御部１０２は、記録媒体１３に格納されたプログラムにしたがってＣＰＵ１１が処理を実行することで以下に記載する制御部１０２としての機能を実現する。記録媒体１３は、磁気ディスク、半導体メモリ、光ディスクあるいはその他の記録媒体であってもよい。【００２２】
第１の映像入力制御端子１０５、第２の映像入力制御端子１０６及び第３の映像入力制御端子１０７は、ＤＤＣ／ＣＩ制御線を備え、不図示の映像出力機器から入力される映像信号を映像処理部１１０へ出力すると共に、ＤＤＣ／ＣＩ制御線を利用して映像出力機器と映像表示装置１０１間で映像表示装置１０１を制御するための各種のコマンドが送受信される。【００２３】
第１の映像入力端子１０８及び第２の映像入力端子１０９は、ＤＤＣ／ＣＩ制御線を持たず、不図示の映像出力機器から入力される映像信号を映像処理部１１０へ出力する。【００２４】
第１の映像入力制御端子１０５〜第３の映像入力制御端子１０７が備えるＤＤＣ／ＣＩ制御線は、第１のスイッチ回路１０３を介して第１のＩ２Ｃバススレーブインタフェース１０２ａと接続され、第２のスイッチ回路１０４を介して第２のＩ２Ｃバススレーブインタフェース１０２ｂと接続される。【００２５】
スイッチ制御部１０２ｃは、第１のスイッチ回路１０３を制御することで、第１のＩ２Ｃバススレーブインタフェース１０２ａへ第１の映像入力制御端子１０５〜第３の映像入力制御端子１０７が備えるＤＤＣ／ＣＩ制御線のいずれか１つを接続し、第２のスイッチ回路１０４を制御することで、第２のＩ２Ｃバススレーブインタフェース１０２ｂへ第１の映像入力制御端子１０５〜第３の映像入力制御端子１０７が備えるＤＤＣ／ＣＩ制御線のいずれか１つを接続する。【００２６】
図３は２系統のＩ２Ｃバススレーブインタフェースに対応した制御機能の一例を示す表である。【００２７】
図３に示す表は、第１のＩ２Ｃバススレーブインタフェース１０２ａに接続された主映像出力機器で制御可能な設定項目と、第２のＩ２Ｃバススレーブインタフェース１０２ｂに接続された副映像出力機器で制御可能な設定項目とを、それぞれ“レ”印を付与して示している。【００２８】
図３に示すように、本実施形態の映像表示装置では、制御部１０２の制御により、第１のＩ２Ｃバススレーブインタフェース１０２ａに接続された主映像出力機器では、コントラスト、ブライトネス、シャープネス、色合い、色の濃さ、表示位置（水平）、表示位置（垂直）、入力端子選択、電源オンオフ、メイン制御端子選択（主映像出力機器が接続される映像入力制御端子の選択）、設定リセット等の映像表示装置１０１が備える全ての設定項目の制御を可能にする。【００２９】
一方、第２のＩ２Ｃバススレーブインタフェース１０２ｂに接続された副映像出力機器では、コントラスト、ブライトネス、シャープネス、色合い、色の濃さ、表示位置（水平）、表示位置（垂直）等の映像調整のみに設定項目の制御を可能にする。このように副映像出力機器で制御可能な設定項目を限定することで、例えば副映像出力機器によるＩ２Ｃバススレーブインタフェースの接続先の切り替えが防止されるため、主映像出力機器による映像表示装置の制御が不能になるのを防止できる。【００３０】
なお、本実施形態では、第１のＩ２Ｃバススレーブインタフェース１０２ａに接続された映像出力機器を上述した主映像出力機器とし、第２のＩ２Ｃバススレーブインタフェース１０２ｂに接続された映像出力機器を上述した副映像出力機器とする例で説明している。しかしながら、第１のＩ２Ｃバススレーブインタフェース１０２ａに接続された映像出力機器を主映像出力機器とし、第２のＩ２Ｃバススレーブインタフェース１０２ｂに接続された映像出力機器を副映像出力機器としてもよい。【００３１】
また、図１に示す映像表示装置１０１では、３つのＤＤＣ／ＣＩ制御線を備える映像入力制御端子と、２つのＤＤＣ／ＣＩ制御線を持たない映像入力端子とを有する構成例を示しているが、これら映像入力制御端子及び映像入力端子の数は、それぞれいくつであってもよい。【００３２】
図４は映像表示装置で表示されるＯＳＤメニューの一例を示す模式図である。【００３３】
図４に示す画面２０１は、どの映像入力制御端子に接続された映像出力機器を上述した主映像出力機器に設定するかを選択するための画面の一例を示している。主映像出力機器の選択時にはＤＤＣ／ＣＩ制御線を備えた映像入力制御端子のみが表示される。図４の画面２０１で示す例では、「ＣＯＭＰＵＴＥＲ１」が第１の映像入力制御端子１０５に相当し、「ＣＯＭＰＵＴＥＲ２」が第２の映像入力制御端子１０６に相当し、「ＣＯＭＰＵＴＥＲ３（ＤＩＧＩＴＡＬ）」が第３の映像入力制御端子１０７に相当している。【００３４】
また、図４に示す画面２０２は、どの映像入力制御端子または映像入力端子に接続された映像出力機器の映像を表示するかを設定するための画面の一例を示している。映像を表示する映像出力機器の選択時には、映像表示装置１０１が有する全ての映像入力制御端子及び映像入力端子が表示される。ユーザーは、リモートコントローラ等の操作手段を用いて画面を見ながら所望の映像入力制御端子または映像入力端子を選択できる。図４の画面２０２で示す例では、「ＣＯＭＰＵＴＥＲ１」が第１の映像入力制御端子１０５に相当し、「ＣＯＭＰＵＴＥＲ２」が第２の映像入力制御端子１０６に相当し、「ＣＯＭＰＵＴＥＲ３（ＤＩＧＩＴＡＬ）」が第３の映像入力制御端子１０７に相当し、「ＶＩＤＥＯ」が第１の映像入力端子１０８に相当し、「Ｓ−ＶＩＤＥＯ」が第２の映像入力端子１０９に相当している。【００３５】
図５は、図４に示した画面２０１を用いてユーザーによって選択された、主映像出力機器が接続された映像入力制御端子と、図４に示した画面２０２を用いてユーザーによって選択された、映像を表示する映像出力機器が接続される映像入力制御端子または映像入力端子との組み合わせ例を示している。【００３６】
上述したように、本実施形態では、第１のＩ２Ｃバススレーブインタフェース１０２ａへ接続する映像出力機器を主映像出力機器とし、第２のＩ２Ｃバススレーブインタフェース１０２ｂへ接続する映像出力機器を副映像出力機器とする。したがって、制御部１０２は、主映像出力機器が接続された映像入力制御端子のＤＤＣ／ＣＩ制御線と第１のＩ２Ｃバススレーブインタフェース１０２ａとを接続するようにスイッチ制御部１０２ｃにより第１のスイッチ回路１０３を制御し、副映像出力装置が接続される映像入力制御端子のＤＤＣ／ＣＩ制御線と第２のＩ２Ｃバススレーブインタフェース１０２ｂとを接続するように第２のスイッチ回路１０４を制御する。【００３７】
ユーザーは、リモートコントローラ等の操作手段を用いて図４に示した画面２０１を表示し、どの映像入力制御端子に接続された映像出力機器を主映像出力機器に設定するかを選択する。このときの設定内容は映像表示装置１０１の電源をオフにしても保存されることが望ましい。【００３８】
また、ユーザーは、リモートコントローラ等の操作手段を用いて図４に示した画面２０２を表示し、どの映像入力制御端子または映像入力端子に接続された映像出力機器を映像表示するかを選択する。【００３９】
例えば、ユーザーが主映像出力機器を接続する端子（メイン制御端子）を「ＣＯＭＰＵＴＥＲ１」に設定し、映像表示する映像出力機器を接続する端子（入力端子選択）を「ＣＯＭＰＵＴＥＲ２」に設定した場合（図５の表３０１）、制御部１０２は、スイッチ制御部１０２ｃにより第１のスイッチ回路１０３を制御し、第１のＩ２Ｃバススレーブインタフェース（I2C  Slave  1）１０２ａと第１の映像入力制御端子１０５のＤＤＣ／ＣＩ制御線とを接続する。また、制御部１０２は、スイッチ制御部１０２ｃにより第２のスイッチ回路１０４を制御し、第２のＩ２Ｃバススレーブインタフェース（I2C  Slave  2）１０２ｂと第２の映像入力制御端子１０６のＤＤＣ／ＣＩ制御線とを接続する。この場合、「ＣＯＭＰＵＴＥＲ２」に接続された映像出力機器が副映像出力機器となる。【００４０】
また、ユーザーが主映像出力機器を接続する端子を「ＣＯＭＰＵＴＥＲ１」に設定し、映像表示する映像出力機器を接続する端子を「ＶＩＤＥＯ」に設定した場合（図５の表３０２）、制御部１０２は、スイッチ制御部１０２ｃにより第１のスイッチ回路１０３を制御し、第１のＩ２Ｃバススレーブインタフェース１０２ａと第１の映像入力制御端子１０５のＤＤＣ／ＣＩ制御線とを接続する。【００４１】
「ＶＩＤＥＯ」端子にはＤＤＣ／ＣＩ制御線が接続されていないため、制御部１０２は、スイッチ制御部１０２ｃにより第２のスイッチ回路１０４を制御し、第２のＩ２Ｃバススレーブインタフェース１０２ｂを、どの映像入力制御端子が備えるＤＤＣ／ＣＩ制御線とも接続しないようにする。【００４２】
ユーザーが主映像出力機器を接続する端子を「ＣＯＭＰＵＴＥＲ１」に設定し、映像表示する映像出力機器を接続する端子を「ＣＯＭＰＵＴＥＲ１」に設定した場合（図５の表３０３）、制御部１０２は、スイッチ制御部１０２ｃにより第１のスイッチ回路１０３を制御し、第１のＩ２Ｃバススレーブ１０２ａと第１の映像入力制御端子１０５のＤＤＣ／ＣＩ制御線とを接続する。【００４３】
この場合、第１の映像入力制御端子１０５のＤＤＣ／ＣＩ制御線には第１のＩ２Ｃバススレーブインタフェース１０２ａが既に接続されているため、さらに第２のＩ２Ｃバススレーブインタフェース１０２ｂを接続する必要はない。そのため、制御部１０２は、スイッチ制御部１０２ｃにより第２のスイッチ回路１０４を制御し、第２のＩ２Ｃバススレーブインタフェース１０２ｂを、どの映像入力制御端子のＤＤＣ／ＣＩ制御線とも接続しないようにする。【００４４】
本発明によれば、スイッチ回路によりＩ２Ｃバススレーブインタフェースと接続するＤＤＣ／ＣＩ制御線を備えた映像入力制御端子を切り替えるため、複数の映像出力機器による映像表示装置の制御が可能になる。【００４５】
また、Ｉ２Ｃバススレーブインタフェースを２系統備え、一方のＩ２Ｃバススレーブインタフェースに接続される映像出力機器を主映像出力機器とし、他方のＩ２Ｃバススレーブインタフェースに接続される映像出力機器を副映像出力機器とし、該副映像出力機器による制御を、例えば映像調整のみに限定することで、主映像出力機器以外による重要な設定項目の変更を不能にできる。【００４６】
さらに、スイッチ回路によって各Ｉ２Ｃバススレーブインタフェースと接続するＤＤＣ／ＣＩ制御線を備えた映像入力制御端子を選択できるようにすることで、映像入力制御端子の数が増えてもＩ２Ｃバススレーブインタフェースは２系統で済む。そのため、映像表示装置のコストの上昇を抑制できる。【００４７】
以上、実施形態を参照して本願発明を説明したが、本願発明は上記実施形態に限定されものではない。本願発明の構成や詳細は本願発明のスコープ内で当業者が理解し得る様々な変更が可能である。
【図１】
2010109598.tif 000003
【図２】
2010109598.tif 000004
【図３】
2010109598.tif 000005
【図４】
2010109598.tif 000006
【図５】
2010109598.tif 000007
【国際調査報告】
2010109598.tif 000008
2010109598.tif 000009
2010109598.tif 000010
2010109598.tif 000011
2010109598.tif 000012
2010109598.tif 000013
2010109598.tif 000014
2010109598.tif 000015